(57)【要約】      （修正有）【課題】自由な平面間取りと、一階部の開口を多くとることができ、セットリング、ひび割れ、雨漏りが少ない、ログ材積み上げ構成の丸太組み立てログハウスを提供する。【解決手段】直径４００ｍｍ以上の丸太を使用して、幅１１０〜１３０ｍｍ、高さ２００〜２５０ｍｍの角部をＲ曲面に加工した擬似長方体角材のログ材にして、ログ材Ａの上面２か所に凸部を並行して全面に設け、下面２か所に凹部溝を並行して全面に掘り込み、上面の凸部に下部の凹部を嵌め込んで積み重ねて壁面にして、ログ材を直角的に交差する箇所は、ログ材Ｂ端面に草履状の大入れアリオス仕口７を設けて、ログ材Ｃ横面の同位置に二個の半分草履形状の大入れアリメス仕口８を上下逆に並べた形に掘りこみ、大入れアリオス仕口を大入れアリメス仕口に嵌め込み、２枚のログ材Ｂの中間にログ材Ｃが位置するようにして拡張可能に組み立てる。【選択図】図１
0003222171.tif 000002
【実用新案登録請求の範囲】
【請求項１】
直径４００ｍｍ以上の丸太を使用して、幅１１０〜１３０ｍｍ、高さ２００〜２５０ｍｍの角部をＲ曲面に加工した擬似長方体角材のログ材にして、前記ログ材の上面に２か所に凸部を並行して全面に設けて、下面に２か所に凹部溝を並行して全面に掘り込み、複数のログ材の上面の凸部に下部の凹部を嵌め込んで積み重ねてロク材の壁面にして、ログ材を直角的に交差する箇所は、一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２枚の中間に他方のログ材が位置するようにして組み立てられていることを特徴とする拡張可能なログハウス。
【請求項２】
上面に２か所に凸部を並行して取り付けたログ材では、ログ材の断面積が２００ｃｍ２〜４００ｃｍ２の範囲内で、ログ材の角部に３０〜５０°の角度のＲ曲面で、幅１１０〜１３０ｍｍの上面の中心から２０〜３０ｍｍの位置に２０ｍｍ底幅、１８ｍｍ上面幅、９ｍｍ高さの凸部に周囲を削って、左右に並行して二列の凸部を設けて、同様にログ材を下面の中心から２０〜３０ｍｍの位置に、１８ｍｍ底幅、２０ｍｍ上幅、９ｍｍ深さの凹部溝を左右に２ケ所並行して彫り込んで作製されて、前記ログ材１２〜１７本を積み重ねて、家屋のログハウスの壁面を構成されていることを特徴とする請求項１に記載の拡張可能なログハウス。
【請求項３】
ログハウスを構成するにはログ材を直角的に交差する組立には、幅１１０〜１３０ｍｍ、高さ２００〜２５０ｍｍの擬似長方体角材のログ材の端面で、前記は端面の周囲２５〜３０ｍｍ幅で切削して、中心部に２０〜２５ｍｍ高さの大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口半分を嵌め込みに適した形状であるＵ字状で、中心から下面に向いて大入れアリオス仕口を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材半分を上下の大入れアリメス仕口の各Ｕ字部に嵌め込んで、各々ログ材を交互に組み込んだ形状で直角交差を構成して、交差の横ログ材の２枚の中間位置に交差の縦ログ材を位置するようにして組み立てられていることを特徴とする請求項１、又は請求項２に記載の拡張可能なログハウス。
【請求項４】
ログ材は、樹齢４０年以上で直径４００ｍｍ以上の杉、檜、米松、又は樅の丸太を使用して、幅１１０〜１３０ｍｍ、高さ２００〜２５０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工をしたログ材を組立に使用されて、家屋へのログ材の使用は高さ３．５ｍ以下壁面の組み立てに使用され、ロクハウス内部に大空間と大きな屋根を支える牛梁を取りいれており、さらに棟木と平行に入れた牛梁には、自然のままの形を生かした磨き丸太を活用した二階建以上の家屋には二階部以上には中心柱をログ材壁面に接合して建てられて、複数の柱と前記柱間を連結する梁とから構成された二階建部の木造組立構造であって、前記複数の柱によって支持するように、前記ログ材壁に接して前記複数の柱とログ材とホソ加工した箇所で接合されていることを特徴とする請求項１〜請求項３のいずれかに記載の拡張可能なログハウス。
【請求項５】
前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にしていることを特徴とする請求項１〜請求項３のいずれかに記載の拡張可能なログハウス。
【考案の詳細な説明】
【技術分野】
【０００１】本考案は、複数のログ材を縦方向に重ねあわせ、丸太からの角材の表面に凹凸部、及び大入れアリ加工のホゾとホゾ穴を設けたログ材を横方向で接合させることにより建造された和洋風様ログハウスに関して、仕口部の凹凸部、と大入れアリ加工のホゾ・ホゾ穴を組み合わせた工法による建築物に関し、より詳細には、ログ材を水平に積み上げたログ材壁と一般的家屋構造を組み合わせた建築物に関する
【背景技術】
【０００２】  近年、日本各地で第二次世界大戦直後に大量に植林された針葉樹が伐採時期を迎えており、国産材の有効活用が課題となっている。木材を大量に使用できる建築工法として、丸太組構法が注目されている。丸太組構法は、丸太や製材のような木材（ログ材）を水平に積み上げることにより壁（ログ壁）を設ける工法であり、所謂ログハウスの建築工法としてセカンドハウスとして別荘地等で人気のある工法である。【０００３】  ところで、丸太組構法による建築物では、竣工後、セトリングという、ログ壁が経時的に沈み込む現象が発生する。セトリングの原因としては、（１）ログ材の乾燥によるログ材の収縮（２）ログ壁が屋根及び梁の荷重を受けることによるログ材の圧縮（３）ログ材を積み上げて構成したログ壁の自重によるログ材の圧縮が挙げられる。このセトリングによって、３〜７年後に隙間での雨漏り、或いは家屋の歪みにより建具の異常を発生させていた。【０００４】ログハウスにおけるセトリングの原因のうち、ログ材の収縮についてはログ材の乾燥によるログ材の収縮は、使用するログ材を予め十分に乾燥させることにより、回避することができる。しかし、残りの加重による原因は、丸太組構法に不可避なものである。このため、丸太組構法による建築物では、セトリングを想定して、窓枠及び戸枠の上部にセトリングスペースを設ける必要があった。またログ材に荷重をかけない工法が望まれる。またログ材の役目を効果的にすることである。【０００５】  一方、軸組構造の外壁部にログ材を積み重ねたログハウス風建築物が一般に開示されている、このログハウス風建築物では、軸組構造の支柱によって、建造物の屋根及び梁の荷重が支持されているため、上記の３つのセトリングの原因のうち、「ログ壁が屋根及び梁の荷重を受けることによるログ材の圧縮」を回避することができる（特許文献１参照）。【０００６】複数の柱と前記柱間を連結する梁とから構成された木造軸組構造と、前記木造軸組構造の外側に隣接してログ材を水平に積み上げた第１ログ壁とから構成された丸太組耐力壁構造を備え、前記第１ログ壁を構成する前記ログ材の各々を前記複数の柱によって支持するように、前記ログ材の各々が連結部材によって前記複数の柱に連結されている丸太組耐力壁工法による建築物が提案されている（特許文献３参照）。【０００７】従来のログハウス建築の最大の欠点であるセトリング〈木の乾燥のために丸太ログで７年間に１４センチ，角ログで５年間で７センチ縮小する〉を防ぎ、二階の庇側の壁際の高さをとり、スペースを１００パーセント利用できるようにし、通風対策として換気に配慮する工法を提供するために、外壁を縦組みのログ工法によりセンリングの欠点を克服し、同時に２階壁際の高さを有効高１３５０ミリ以上をとり、利用面積を確保した。内壁と外壁間に空気層を設け換気装置をとりつけたものが提案されている（特許文献４参照）。【０００８】複数のログ材を簡単に組み合わせることが可能となり完成までの時間短縮と作業員数の削減の両方ができるログハウスを提供するために、複数のログ材を縦方向に交互に重ね合わせることにより建造されたログハウスであり、土台側面上部から逆方向側面に向けて貫通しないように凹型の切れ込みを入れ、当該凹型切れ込みに直交するように当該土台上面の長手方向に凹型溝加工を施し、縦方向に積み重ねるログ材下面には土台の各凹型溝に挿入し移動可能な凸型レール加工を施し、ログ材の凸型レールを凹型の切れ込みから挿入し凹型溝に沿って複数積み重ねて構成される縦型ログ工法により立設される。ログ材下面に凸型レールと土台上面に溝を設けることで組立て時間を大幅に短縮する方法が提案されている（特許文献２参照）。【０００９】ログ材と柱との間に生じた隙間や上下方向に積み重ねたログ材の隙間から雨風が吹き込む等の問題、風雨や雨水により生じたログの劣化や収縮に伴う緊結ボルト等の緊結が緩くなる問題を解決するために、複数の柱、コーナー柱の間に複数のログからなるパネルを差込み、壁面を形成するログハウスで使用する建築部材において、間仕切用のパネルとなる各ログの切欠溝に埋込座ナットを埋設する窪みを有し、前記窪みに隣接し外壁用のパネルとなる各ログから横通しボルトを貫通できる貫通孔を複数設けた柱と、前記各パネルを構成するログの内部に、前記柱を介して横通しボルトを貫通できるナット締付孔を設けたことを特徴とするログハウス用ログ、柱を提供することを目的とする方法が提案されている（特許文献５参照）。【００１０】ログ材の積み重ねのみよる隙間や上下方向に積み重ねたログ材の隙間から雨風が吹き込む等の問題、風雨や雨水により生じたログの劣化や収縮に伴う緊結ボルト等の緊結が緩くなる問題等完全には解決されていない。しかしログ材の隙間から雨風が吹き込む等の問題については期待がもたれている。また従来のログハウスの外壁は、丸ログ若しくは角ログを横方向に寝かせ積み上げて建造する工法を一般に採用しているが、上記の問題点は解決されていない。
【先行技術文献】
【特許文献】
【００１１】
【特許文献１】特開平５−７９０９７号公報
【特許文献２】実用新案登録第３２００４４０号公報
【特許文献３】特開２０１７−０８９１１８号公報
【特許文献４】特開２００４−２７７８７号公報
【特許文献５】特開２００６−１３２１０６号公報
【考案の概要】
【考案が解決しようとする課題】
【００１２】従来から採用されている横組工法の最大の欠点は、使用したログ材が徐々に乾燥していくため丸太ログで７年間に１４センチ、角ログは５年間で７センチ縮小する。そのためハウス全体に隙間が生じ、若しくはハウス自体が縮むことになる。先にも記載したがセトリング〈ｓｅｔｔｌｉｎｇ〉は、乾燥による一本一本のログ材の収縮とログウォールの自重により、ログ壁の高さが徐々に低くなる現象であり、ログハウスの最大の課題である。また壁面の耐火性においてももう一つの課題でもある。とくにセトリングは施工中から発生しはじめ、落ち着くまでに建築後、数年かかるといわれており、壁の沈下する幅や落ち着くまでの期間は、もともとのログ材の乾燥の程度、樹種などにより異なるが、３〜５年といわれる。【００１３】また丸太を縦に並べて、ログウォールの自重をなくして、隙間の発生を少なくすることも検討されているが、十分なものは存在していない。ログ材の太さや乾燥方法の違いにより、ハンドカットのほうがマシンカットよりもセトリングの度合いは激しい。また、ポスト＆ビームでは柱がやせることによって壁との間にすき間が発生することがある。これら工法、材料によって収縮の程度も変ってきている。複数のログ材を縦方向に重ねあわせ、丸太からの角材の表面に凹凸部、及び大入れアリ加工のホゾとホゾ穴を設けたログ材を横方向で接合させることにより建造された和洋風様ログハウスで、仕口部の凹凸の掘り込み、と大入れアリ加工のホゾ・ホゾ穴を組み合わせた工法による建築物に仕上げる。【００１４】上記課題を解決するために従来工法である横組を縦組にする方法が提案されている。しかし、アリメスログ工法ログ材の縦型工法は横型組立に比較して組立作業が難しいため完成までに時間を要すること及び人手が掛かることが新たな課題となっている。さらにログハウスの課題である雨漏り、変形、ひずみをなくしてログ材壁面に仕上げていることと、家屋内にログ材をして間仕切りをして、木材の温もりを感じる部屋の構成することは難しかった。また二階の吹き抜けにおいて日本古来の牛梁を使用して日本古風の感触をもたらせることも少なかった。【００１５】  しかしながら、ログハウス風建築物においても、上記のセトリングの原因のうち、「ログ材を積み上げて構成したログ壁の自重によるログ材の圧縮」を回避することはできていない。このため、このログハウス風建築物においてもセトリングの発生を前提とし、窓枠又は戸枠の支持を支柱から得ている。開口部を多くして、自重も少なくしてログハウスの模様を大幅にかえることも必要である。また、２階建、３階建のように多層化する場合には、ログ材が更に高く積み上げられることになるため、間取りも多くして、１階部の部屋数を多くして安定感を持たせて、ログ壁の自重によるログ材の圧縮の影響を少なくすることも考えられる。【００１６】  本考案は、上記の事情に鑑みてなされたものであり、アリメスログ工法ログハウス風外観を有するとともに、ログ材を積み上げて構成したログ壁の自重によるセトリングの発生を出来だけ抑制することができ、ログハウスの外壁での開口部を多くして、自重も少なくしてログハウスの模様形式を大幅にかえ、二階の吹き抜けにおいて日本古来の牛梁��どの大型梁材を使用して日本古風の感触をもたらせて、さらにログ材を使用して一階部でも間仕切りして部屋を構成して、建築法に適応できる建築物を提供することを目的としている。
【課題を解決するための手段】
【００１７】上記課題に鑑み、考案者は誠意工夫の結果、丸太からの角材の表面に凹凸部、及び大入れアリ加工のホゾとホゾ穴を設けたログ材を横方向で接合させることにより建造された和洋風様ログハウスで、仕口部の凹凸の掘り込み、と大入れアリ加工のホゾ・ホゾ穴を組み合わせたログ材下面に凸型レールと土台上面に溝を設けることで組み立て時間の大幅な削減と人員削減のいずれも克服できる新しい縦型ログの工法を見出した。【００１８】直径４００ｍｍ以上の丸太を使用して、幅１１０〜１３０ｍｍ、高さ２００〜２５０ｍｍの角部をＲ曲面に加工した擬似長方体角材のログ材にして、前記ログ材の上面に２か所に凸部を並行して全面に設けて、下面に２か所に凹部溝を並行して全面に掘り込み、複数のログ材の上面の凸部に下部の凹部を嵌め込んで積み重ねてロク材の壁面にして、ログ材を直角的に交差する箇所は、一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２枚の中間に他方のログ材が位置するようにして組み立てられている拡張可能なログハウスである。【００１９】上面に２か所に凸部を並行して取り付けたログ材では、ログ材の断面積が２００ｃｍ２〜４００ｃｍ２の範囲内で、ログ材の角部に３０〜５０°の角度のＲ曲面で、幅１１０〜１３０ｍｍの上面の中心から２０〜３０ｍｍの位置に２０ｍｍ底幅、１８ｍｍ上面幅、９ｍｍ高さの凸部に周囲を削って、左右に並行して二列の凸部を設けて、同様にログ材を下面の中心から２０〜３０ｍｍの位置に、１８ｍｍ底幅、２０ｍｍ上幅、９ｍｍ深さの凹部溝を左右に２ケ所並行して彫り込んで作製されて、前記ログ材１２〜１７本を積み重ねて、家屋のログハウスの壁面を構成されている。【００２０】ログハウスを構成するにはログ材を直角的に交差する組立には、幅１１０〜１３０ｍｍ、高さ２００〜２５０ｍｍの擬似長方体角材のログ材の端面で、前記は端面の周囲２５〜３０ｍｍ幅で切削して、中心部に２０〜２５ｍｍ高さの大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口半分を嵌め込みに適した形状であるＵ字状で、中心から下面に向いて大入れアリオス仕口を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材を上下の大入れアリメス仕口のＵ字部に嵌め込んで、各々ログ材を交互に組み込んだ形状で直角交差を構成して、交差の横ログ材の２枚の中間位置に交差の縦ログ材を位置するようにして組み立てられている。【００２１】ログ材は、樹齢４０年以上で直径４００ｍｍ以上の杉、檜、米松、又は樅の丸太を使用して、幅１１０〜１３０ｍｍ、高さ２００〜２５０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工を���たログ材を組立に使用されて、家屋へのログ材の使用は高さ３．５ｍ以下壁面の組み立てに使用され、ロクハウス内部に大空間と大きな屋根を支える牛梁を取りいれており、さらに棟木と平行に入れた牛梁には、自然のままの形を生かした磨き丸太を活用した二階建以上の家屋には二階部以上には中心柱をログ材壁面に接合して建てられて、複数の柱と前記柱間を連結する梁とから構成された二階建の木造組立構造であって、前記複数の柱によって支持するように、前記ログ材壁に接して前記複数の柱とログ材とホソ加工した箇所で接合されている。【００２２】  前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にしている。【００２３】具体的には、土台の溝部を台形形状とし当該台形の溝に沿ってログ材料をスライド移動させるための逆形状させた台形形状凸型を備えることにより土台長手方向の溝に組み込んだログ材は土台上面方向には引き出すことが出来ないためハウス自体が安定する。前記土台上にログ材を組み合わせて成る壁に対して当該壁上部を挟み込めるように凹型溝を施した桁により固定されるため更にハウス自体の強度が増加する構造となっている。【００２４】５０年ものの杉、檜の小国材を使用して、ログアリメスハウス加工工法によって、ログ材のホゾ加工による隙間なくしてログハウスを組み立ており、またこのログハウスは、ログ材の幅１１８〜１１９ｍｍ、高さ２０９〜２４０ｍｍの範囲で２種類の材料を使用して、ログ材としてアリ首深さは上下アリ首中心位置の距離と、ローラー面からのアリ首中心位置を４０ｍｍ）程度と、腰掛幅を１０３ｍｍ程度にして、もう一方のログ材をローラー面からアリ首中心位置と上面からの距離と，腰掛幅と、ログ材中心カラアリ首端までの距離を適切にしている。【００２５】これらの掘削されたログ材を製作にはログアリメスカッターの加工によってログハウス材にして、それを精密に組み立てているものである。このロクハウスの特徴は、年次経過による木材の乾燥などにより、ログ材の変形によって雨漏りに、あるいは歪、傾きが少なく、また屋内にログ材面に壁を設けて小さな部屋作りが容易であり、またログハウスの特徴である吹き抜けの大きなリビングルームを設けて、その壁もログ材面を張り出させて、デザイン性を高めている。このログ材の組み立てた大空間と大きな屋根を支える牛梁を取りいれており、さらに棟木と平行に入れた牛梁には、自然のままの形を生かした磨き丸太を活用したものである。このログハウスは、加工ログ材の接続面のホゾ加工によって交互に組み立てる技法である。
【考案の効果】
【００２６】アリメスログ工法ログハウス和洋折衷風外観を呈して、ログ材を積み上げて構成したログ壁の自重によるセトリングの発生を出来だけ抑制することができ、ログハウスの外壁での開口部を多くして、間仕切りを多くしたログハウスの模様形式を大幅に変えている様式している。二階の吹き抜けにおいて日本古来の牛梁などの大型梁材を使用して和洋折衷の日本古風、洋風の感触をもたらされた。さらにログ材を使用して一階部でも木の温もりある間仕切りして部屋を構成して、部屋数を多くすることができた。【００２７】本考案のアリメスログ工法にて複数のログ材を密閉して簡単に組み合わせることが可能となり、完成までの時間短縮と作業員数の削減の両方の課題を解決できる。アリメスログ工法ログハウス風外観を有するとともに、この方法によってログ材の自重によるセトリングの発生を抑制することができる。杉・檜材を使用して、アリメスログハウス加工工法によって、ログ材にホゾ加工による隙間なくしてログハウスないでの間仕切りでの部屋の組み立てを多くしている。【００２８】またこのログハウスは、屋内の部屋作りが容易であり、吹き抜けのリビングの壁にログ材面を張り出させて、雰囲気的に自然性を高めており、大空間と大きな屋根を支える牛梁を取りいれており、さらにログハウスの課題である雨漏り、変形、ひずみをなくしてログ材壁面に仕上げており、さらに家屋内に棟木と平行に入れた牛梁には、自然のままの形を生かした磨き丸太を活用したものである。このログハウスは、ログ材を角部で交互にホゾ組み立て技法によって新規性を持たせており、部屋内も意匠的にも特徴ある性能をもっている
【図面の簡単な説明】
【００２９】
【図１】アリ工法による拡張可能なログハウスの基本部品ログ材の斜視図図。Ａ：ログ材の上面に２か所に凸部を並行して全面に設け、下面に２か所に凹部溝を並行して全面に掘り込みのログ材  Ｂ：大入れアリオス仕口で大入れアリメス仕口を上下二重に設けたログ材  Ｃ：大入れアリメス仕口を上下二重に設けたログ材の拡大
【図２】拡張可能なログハウスの基本部品ログ材Ａ，Ｂ，Ｃ、Ｄの拡大図。Ａ：ログ材の仕口でのアリ大入りオス正面、Ｂ：ログ材の仕口でのアリ大入りオス側面  Ｃ：ログ材の仕口でのアリ大入りメス平面、Ｄ：ログ材の仕口でのアリ大入りメス平面、
【図３】ログ材での上面の凸部を下部の凹溝部を嵌め込んで積み重ねたロク材の直線的壁面を示す図。Ａ：ログ材の上面に２か所に凸部を並行して全面に設け、下面に２か所に凹部溝を並行して全面に掘り込みのログ材  Ｂ：組立図
【図４】ログ材の大入れアリオス仕口を設けたログ材を大入れアリメス仕口を上下二重に設けたログ材に嵌め込んだ直角壁面の組み立て状態図
【図４−１】ログ材の大入れアリオス仕口を設けたログ材を大入れアリメス仕口を上下二重に設けたログ材に凹凸入りログ材を嵌め込んだ直角壁面の組み立て状態図  Ａ：初期段階  Ｂ：組立段階  Ｃ：組立後段階
【図４−２】凹凸ログ材に大入れアリオス仕口を設けたログ材を大入れアリメス仕口を上下二重に設けたログ材に組み立て状態図、
【図５】ログ材と柱の接合で部屋の組立を示す図。Ａ：ログハウス内の部屋概要  Ｂ：ログ材と柱の接合  Ｃ：ログハウス内の部屋構造
【図６】ログハウスにてログ材と柱を使用した間仕切りでの部屋の構成図
【図７】一階のログ材を組み立てた構造体の骨組み構造の図
【図７−１】一階のログ材を組み立てた構造体の上部梁を使用した骨組み構造の図
【図８】本発明でのログハウスの外観の斜視図
【考案を実施するための形態】
【００３１】以下、本考案に係る拡張可能なログハウスに関する工作方法についての実施の形態を上記図面の基に説明する。特に拡張可能なログハウスの特徴と解説する。
【実施例１】
【００３０】図１に示すように、直径約５００ｍｍ程度の木材の丸太を使用した、幅１１８ｍｍ、高さ２４０ｍｍの略角形ログ材の角部各４か所を３５°の角度のＲ曲面に加工した擬似長方体角材のログ材にして、前記ログ材の上面に２か所に凸部を並行して全面に設けて、下面に２か所に凹部溝を並行して全面に掘り込み、図３のように複数のログ材の上面の凸部に下部の凹部を嵌め込んで積み重ねてロク材の壁面にして、ログ材を直角的に交差する箇所は、図２、４に示すように一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２本の中間に他方のログ材が位置するようにして組み立てられている拡張可能なログハウスにした。【００３１】図３に示すように前記ロク材の上面に２か所に凸部を並行して取り付けた加工ログ材では、ログ材の断面積が２８８ｃｍ２の程度範囲内で、ログ材の角部に３５°の角度のＲ曲面で、幅１１８ｍｍの上面の中心から２５ｍｍの位置に２０ｍｍ底幅、１８ｍｍ上面幅、９ｍｍ高さの凸部に周囲を削って、左右に並行して二列の凸部を設けて、同様にログ材を下面の中心から２５ｍｍの位置に、１８ｍｍ底幅、２０ｍｍ上幅、９ｍｍ深さの凹部溝を左右に２ケ所並行して彫り込んで作製されて、前記ログ材１５本を積み重ねて、家屋のログハウスの壁面を構成した。【００３２】また図４、図４−１、図４−２に示すようにログハウスを構成するにはログ材を直角的に交差する組立には、幅１１８ｍｍ、高さ２４０ｍｍの擬似長方体角材のログ材の端面で、前記は端面の周囲２５ｍｍ幅で切削して、中心部に２５ｍｍ高さの草履状大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口の半分を嵌め込みに適した形状であるＵ字状で、中心から下面に向いて大入れアリオス仕口半分を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材の半分を上下の大入れアリメス仕口の各Ｕ字部に嵌め込んで、各々ログ材を交互に組み込んだ形状で直角交差を構成して、交差の横ログ材の２枚の中間位置に交差の縦ログ材を位置するようにしてログ材を組み立てた。【００３３】さらに図７に示すように、ログ材は、樹齢４０年以上で直径５００ｍｍ以上の杉材の丸太を使用して、幅１１８ｍｍ、高さ２４０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工をしたログ材を組立てて、ログハウスの一階の骨格部に使用されて、家屋へのログ材の使用は高さ３ｍの壁面の組み立てに使用され、図７−１に示すようにロクハウス内部に大空間と大きな屋根を支える牛梁を取りいれており、さらに棟木と平行に入れた牛梁には、自然のままの形を生かした磨き丸太を活用した二階建以上の家屋には二階部以上��は中心柱をログ材壁面に接合して建てられて、複数の柱と前記柱間を連結する梁とから構成された二階建部の木造組立構造であって、前記複数の柱によって支持するように、前記ログ材壁に接して前記複数の柱とログ材とホソ加工した箇所で接合させた。【００３４】図６に示すように、ログ材に組み立てたハウスは１階に洗面所、浴室、トイレ、キッチンを含む吹き抜け大部屋リビングルームと畳み間に客間などを揃えて一般の住宅と同様な間取りに仕上げた。また図５に示すように内部の部屋を構成する間取りも容易に変更ができて、生活環境に適した間取りにすることができた。さらにリビングルームでは吹き抜けになって、天井部には牛梁などが日本の和風様相も味わえる構造になった。また図５，７に示すように前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にした。外観は図８のようになり、典型的なログハウスになった。
【実施例２】
【００３５】実施例１と同様に、図１、図２に示すように、直径４００ｍｍ以上の丸太を使用した、幅１１５ｍｍ、高さ２３０ｍｍの角部をＲ曲面に加工した擬似長方体角材のログ材にして、前記ログ材の上面に２か所に凸部を並行して全面に設けて、下面に２か所に凹部溝を並行して全面に掘り込み、図３のように複数のログ材の上面の凸部に下部の凹部を嵌め込んで積み重ねてロク材の壁面にして、図４に示すようにログ材を直角的に交差する箇所は、一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２枚の中間に他方のログ材が位置するようにして組み立てられている拡張可能なログハウスにした。【００３６】図１Ａで示すように、上面に２か所に凸部を並行して取り付けたログ材では、ログ材の断面積が２６５ｃｍ２で、ログ材の角部に３０°の角度のＲ曲面で、幅１１５０ｍｍの上面の中心から２２ｍｍの位置に２０ｍｍ底幅、１８ｍｍ上面幅、９ｍｍ高さの凸部に周囲を削って、左右に並行して二列の凸部を設けて、同様にログ材を下面の中心から２０ｍｍの位置に、１８ｍｍ底幅、２０ｍｍ上幅、９ｍｍ深さの凹部溝を左右に２ケ所並行して彫り込んで作製されて、前記ログ材１４本を積み重ねて、家屋のログハウスの壁面を構成された。【００３７】ログハウスを構成するにはログ材を直角的に交差する組立には、幅１１５ｍｍ、高さ２３０ｍｍの擬似長方体角材のログ材の端面で、前記は端面の周囲２５ｍｍ幅で切削して、中心部に２３ｍｍ高さの大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口を嵌め込みに適した形状であるＵ字状で、中心から下面に向いて大入れアリオス仕口を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材を上下の大入れアリメス仕口のＵ字部に嵌め込んで、各々ログ材を交互に組み込んだ形状で直角交差を構成して、図７に示すような交差の横ログ材の２枚の中間位置に交差の縦ログ材を位置するようにして組み立てた。【００３８】ログ材は、樹齢４０年以上で直径４００ｍｍ以上の杉材の丸太を使用して、幅１１５ｍｍ、高さ２３０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工をしたログ材を組立に使用されて、家屋へのログ材の使用は高さ３．５ｍ以下壁面の組み立てに使用され、ロクハウス内部に大空間と大きな屋根を支える牛梁を取りいれており、さらに棟木と平行に入れた牛梁には、自然のままの形を生かした磨き丸太を活用した二階建以上の家屋には二階部以上には中心柱をログ材壁面に接合して建てられて、複数の柱と前記柱間を連結する梁とから構成された二階建部の木造組立構造であって、前記複数の柱によって支持するように、図４，図７���示すように前記ログ材壁に接して前記複数の柱とログ材とホソ加工した箇所で接合した。【００３９】前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にした。図６に示すように、ログ材に組み立てたハウスは１階に洗面所、浴室、トイレ、キッチンを含む吹き抜け大部屋リビングルームと畳み間に客間などを揃えて一般の住宅と同様な間取りに仕上げた。内部の部屋を構成する間取りも容易に変更ができて、生活環境に適した間取りにすることができた。さらにリビングルームでは吹き抜けになって、天井部には牛梁などが日本の和風様相も味わえる構造になった。【００４０】図８と同様なログハウスに示すように、土台の溝部を台形形状とし当該台形の溝に沿ってログ材料をスライド移動させるための逆形状させた台形形状凸型を備えることにより土台長手方向の溝に組み込んだログ材は土台上面方向には引き出すことが出来ないためハウス自体が安定する。前記土台上にログ材を組み合わせて成る壁に対して当該壁上部を挟み込めるように凹型溝を施した桁により固定されるため更にハウス自体の強度が増加する構造にした。
【実施例３】
【００４１】実施例１と同様に、直径５００ｍｍ以上の丸太木材を使用して、幅１３０ｍｍ、高さ２５０ｍｍの角部をＲ曲面に加工した擬似長方体角材のログ材にして、前記ログ材の上面に２か所に凸部を並行して全面に設けて、下面に２か所に凹部溝を並行して全面に掘り込み、複数のログ材の上面の凸部に下部の凹部を嵌め込んで積み重ねてロク材の壁面にして、ログ材を直角的に交差する箇所は、一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２枚の中間に他方のログ材が位置するようにして組み立てられている拡張可能なログハウスであった。【００４２】上面に２か所に凸部を並行して取り付けたログ材では、ログ材の断面積が３００ｃｍ２〜４００ｃｍ２の範囲内で、ログ材の角部に４０°の角度のＲ曲面で、幅１３０ｍｍの上面の中心から３０ｍｍの位置に２０ｍｍ底幅、１８ｍｍ上面幅、９ｍｍ高さの凸部に周囲を削って、左右に並行して二列の凸部を設けて、同様にログ材を下面の中心から３０ｍｍの位置に、１８ｍｍ底幅、２０ｍｍ上幅、９ｍｍ深さの凹部溝を左右に２ケ所並行して彫り込んで作製されて、前記ログ材１２本を積み重ねて、家屋のログハウスの壁面を構成されている。【００４３】ログハウスを構成するにはログ材を直角的に交差する組立には、幅１３０ｍｍ、高さ２５０ｍｍの擬似長方体角材のログ材の端面で、前記は端面の周囲３０ｍｍ幅で切削して、中心部に２５ｍｍ高さの大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口を嵌め込みに適した形状であるＵ字状で、中心から下面に向いて大入れアリオス仕口を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材を上下の大入れアリメス仕口のＵ字部に嵌め込んで、各々ログ材を交互に組み込んだ形状で直角交差を構成して、交差の横ログ材の２枚の中間位置に交差の縦ログ材を位置するようにして組み立てた。【００４３】ログ材は、樹齢５０年以上で直径６００ｍｍ以上の檜の丸太を使用して、幅１３０ｍｍ、高さ２５０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工をしたログ材を組立に使用されて、家屋へのログ材の使用は高さ３．５ｍ以下壁面の組み立てに使用され、ロクハウス内部に大空間と大きな屋根を支える牛梁を取りいれており、さらに棟木と平行に入れた牛梁には、自然のままの形を生かした磨き丸太を活用した二階建以上の家屋には二階部以上には中心柱をログ材壁面に接合して建てられて、複数の柱と前記柱間を連結する梁とから構成された二階建部の木造組立構造であって、前記複数の柱によって支持するように、前記ログ材壁に接して前記複数の柱とログ材とホソ加工した箇所で接合させた���【００４４】図６に示すように、ログ材に組み立てたハウスは１階に洗面所、浴室、トイレ、キッチンを含む吹き抜け大部屋リビングルームと畳み間に客間などを揃えて一般の住宅と同様な間取りに仕上げた。内部の部屋を構成する間取りも容易に変更ができて、生活環境に適した間取りにすることができた。さらにリビングルームでは吹き抜けになって、天井部には牛梁などが日本の和風様相も味わえる構造になった。
前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にした。
【符号の説明】
【００４５】１  土台
２  ログ材
３  角部
４  ログ材上面部
５  ログ材下面部
６  垂木
７．大入れアリオス仕口
８．大入れアリメス仕口
９．一階ログハウス
１０．二階建木造組立構造
１１．柱
１２．牛梁
１３．溝部
１４．凸部
１５．擬似長方体角材
１６．ホソ加工
１７．アリ加工
１８．壁板
１９．建具
２０．部屋
２１．屋根
２２．玄関
２３．洗面所
２４．浴室
２５．トイレ
２６．吹き抜け部屋
２７．キッチン台
２８．居間
２９．窓
３０．出入口（玄関）
３１  リビングルーム
【図１】
0003222171.tif 000003
【図２】
0003222171.tif 000004
【図３】
0003222171.tif 000005
【図４】
0003222171.tif 000006
【図５】
0003222171.tif 000007
【図６】
0003222171.tif 000008
【図７】
0003222171.tif 000009
【図７−１】
0003222171.tif 000010
【図８】
0003222171.tif 000011
【手続補正書】
【提出日】平成31年2月7日(2019.2.7)
【手続補正１】
【補正対象書類名】実用新案登録請求の範囲
【補正対象項目名】全文
【補正方法】変更
【補正の内容】
【実用新案登録請求の範囲】
【請求項１】
直径４００ｍｍ以上の丸太を使用して、幅１１０〜１３０ｍｍ、高さ２００〜２５０ｍｍの角部をＲ曲面に加工した擬似長方体角材のログ材にして、前記ログ材の上面に２か所に凸部を並行して全面に設けて、下面に２か所に凹部溝を並行して全面に掘り込み、複数のログ材の上面の凸部に下部の凹部を嵌め込んで積み重ねてロク材の壁面にして、ログ材を直角的に交差する箇所は、一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２枚の中間に他方のログ材が位置するようにして組み立てられていることを特徴とする拡張可能なログハウス。
【請求項２】
上面に２か所に凸部を並行して取り付けたログ材では、ログ材の断面積が２００ｃｍ２〜４００ｃｍ２の範囲内で、ログ材の角部に３０〜５０°の角度のＲ曲面で、幅１１０〜１３０ｍｍの上面の中心から２０〜３０ｍｍの位置に２０ｍｍ底幅、１８ｍｍ上面幅、９ｍｍ高さの凸部に周囲を削って、左右に並行して二列の凸部を設けて、同様にログ材を下面の中心から２０〜３０ｍｍの位置に、１８ｍｍ底幅、２０ｍｍ上幅、９ｍｍ深さの凹部溝を左右に２ケ所並行して彫り込んで作製されて、前記ログ材１２〜１７本を積み重ねて、家屋のログハウスの壁面を構成されていることを特徴とする請求項１に記載の拡張可能なログハウス。
【請求項３】
ログハウスを構成するにはログ材を直角的に交差する組立には、幅１１０〜１３０ｍｍ、高さ２００〜２５０ｍｍの擬似長方体角材のログ材の端面で、前記端面の周囲２５〜３０ｍｍ幅で切削して、中心部に２０〜２５ｍｍ高さの大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口半分を嵌め込みに適した形状であるＵ字状で、中心から下面に向いて大入れアリオス仕口を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材半分を上下の大入れアリメス仕口の各Ｕ字部に嵌め込んで、各々ログ材を交互に組み込んだ形状で直角交差を構成して、交差の横ログ材の２枚の中間位置に交差の縦ログ材を位置するようにして組み立てられていることを特徴とする請求項１、又は請求項２に記載の拡張可能なログハウス。
【請求項４】
ログ材は、樹齢４０年以上で直径４００ｍｍ以上の杉、檜、米松、又は樅の丸太を使用して、幅１１０〜１３０ｍｍ、高さ２００〜２５０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工をしたログ材を組立に使用されて、家屋へのログ材の使用は高さ３．５ｍ以下壁面の組み立てに使用され、ロクハウス内部に大空間と大きな屋根を支える牛梁を取りいれており、さらに棟木と平行に入れた牛梁には、自然のままの形を生かした磨き丸太を活用した二階建以上の家屋には二階部以上には中心柱をログ材壁面に接合して建てられて、複数の柱と前記柱間を連結する梁とから構成された二階建部の木造組立構造であって、前記複数の柱によって支持するように、前記ログ材壁に接して前記複数の柱とログ材とホソ加工した箇所で接合されていることを特徴とする請求項１〜請求項３のいずれかに記載の拡張可能なログハウス。
【請求項５】
前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にしていることを特徴とする請求項１〜請求項４のいずれかに記載の拡張可能なログハウス。
【手続補正２】
【補正対象書類名】明細書
【補正対象項目名】００２９
【補正方法】変更
【補正の内容】
【００２９】
【図１】アリ工法による拡張可能なログハウスの基本部品ログ材の斜視図図。Ａ：ログ材の上面に２か所に凸部を並行して全面に設け、下面に２か所に凹部溝を並行して全面に掘り込みのログ材  Ｂ：大入れアリオス仕口で大入れアリメス仕口を上下二重に設けたログ材  Ｃ：大入れアリメス仕口を上下二重に設けたログ材の拡大
【図２】拡張可能なログハウスの基本部品ログ材Ａ，Ｂ，Ｃ、Ｄの拡大図。Ａ：ログ材の仕口でのアリ大入りオス正面、Ｂ：ログ材の仕口でのアリ大入りオス側面  Ｃ：ログ材の仕口でのアリ大入りメス平面、Ｄ：ログ材の仕口でのアリ大入りメス平面、
【図３】ログ材での上面の凸部を下部の凹溝部を嵌め込んで積み重ねたロク材の直線的壁面を示す図。Ａ：ログ材の上面に２か所に凸部を並行して全面に設け、下面に２か所に凹部溝を並行して全面に掘り込みのログ材  Ｂ：組立図
【図４】ログ材の大入れアリオス仕口を設けたログ材を大入れアリメス仕口を上下二重に設けたログ材に嵌め込んだ直角壁面の組み立て状態図
【図５】ログ材と柱の接合で部屋の組立を示す図。Ａ：ログハウス内の部屋概要  Ｂ：ログ材と柱の接合  Ｃ：ログハウス内の部屋構造
【図６】ログハウスにてログ材と柱を使用した間仕切りでの部屋の構成図
【図７】一階のログ材を組み立てた構造体の骨組み構造の図
【図７−１】一階のログ材を組み立てた構造体の上部梁を使用した骨組み構造の図
【図８】本発明でのログハウスの外観の斜視図
【手続補正書】
【提出日】平成31年4月17日(2019.4.17)
【手続補正１】
【補正対象書類名】実用新案登録請求の範囲
【補正対象項目名】全文
【補正方法】変更
【補正の内容】
【実用新案登録請求の範囲】
【請求項１】
直径４００ｍｍ以上の丸太を使用して、幅１１０〜１３０ｍｍ、高さ２００〜２５０ｍｍの角部をＲ曲面に加工した擬似長方体角材のログ材にして、前記ログ材の上面に２か所に凸部を並行して全面に設けて、下面に２か所に凹部溝を並行して全面に掘り込み、複数のログ材の上面の凸部に下部の凹部を嵌め込んで積み重ねてロク材の壁面にして、ログ材を直角的に交差する箇所は、一方のログ材に端面に草履状の大入れアリオス仕口を設けて、他方のログ材の横面の同位置に二個の半分草履形状の大入れアリメス仕口を逆に上下に並べた形に掘りこみ、前記大入れアリオス仕口を前記大入れアリメス仕口に嵌め込み、一方のログ材の２枚の中間に他方のログ材が位置するようにして組み立てられていることを特徴とする拡張可能なログハウス。
【請求項２】
上面に２か所に凸部を並行して取り付けたログ材では、ログ材の断面積が２００ｃｍ２〜４００ｃｍ２の範囲内で、ログ材の角部に３０〜５０°の角度のＲ曲面で、幅１１０〜１３０ｍｍの上面の中心から２０〜３０ｍｍの位置に２０ｍｍ底幅、１８ｍｍ上面幅、９ｍｍ高さの凸部に周囲を削って、左右に並行して二列の凸部を設けて、同様にログ材を下面の中心から２０〜３０ｍｍの位置に、１８ｍｍ底幅、２０ｍｍ上幅、９ｍｍ深さの凹部溝を左右に２ケ所並行して彫り込んで作製されて、前記ログ材１２〜１７本を積み重ねて、家屋のログハウスの壁面を構成されていることを特徴とする請求項１に記載の拡張可能なログハウス。
【請求項３】
ログハウスを構成するにはログ材を直角的に交差する組立には、幅１１０〜１３０ｍｍ、高さ２００〜２５０ｍｍの擬似長方体角材のログ材の端面で、前記端面の周囲２５〜３０ｍｍ幅で切削して、中心部に２０〜２５ｍｍ高さの大入れアリオス仕口を構成して、前記大入れアリオス仕口を嵌め込む大入れアリメス仕口を別のロク材の横面にログ材の端面の同様な面で深さ１０ｍｍを掘り込み、さらに中心から上面に向いて草履状大入れアリオス仕口半分を嵌め込みに適した形状であるＵ字状で、中心から下面に向いて大入れアリオス仕口を嵌め込みに適したＵ字状で、両Ｕ字状を重ねた疑似的Ｈ状の深さ１０ｍｍの二個の大入れアリメス仕口にして、Ｕ字状に前記の大入れアリオス仕口を持つログ材半分を上下の大入れアリメス仕口の各Ｕ字部に嵌め込んで、各々ログ材を交互に組み込んだ形状で直角交差を構成して、交差の横ログ材の２枚の中間位置に交差の縦ログ材を位置するようにして組み立てられていることを特徴とする請求項１、又は請求項２に記載の拡張可能なログハウス。
【請求項４】
ログ材は、樹齢４０年以上で直径４００ｍｍ以上の杉、檜、米松、又は樅の丸太を使用して、幅１１０〜１３０ｍｍ、高さ２００〜２５０ｍｍのＲ曲面に加工した擬似長方体角材にして半年間以上に自然乾燥して、含有水分を２０％以下にしたログ材を凹部、凸部、大入れアリオス仕口、大入れアリメス仕口のアリ加工をしたログ材を組立に使用されて、家屋へのログ材の使用は高さ３．５ｍ以下壁面の組み立てに使用され、ロクハウス内部に大空間と大きな屋根を支える牛梁を取りいれており、さらに棟木と平行に入れた牛梁には、自然のままの形を生かした磨き丸太を活用した二階建以上の家屋には二階部以上には中心柱をログ材壁面に接合して建てられて、複数の柱と前記柱間を連結する梁とから構成された二階建部の木造組立構造であって、前記複数の柱によって支持するように、前記ログ材壁に接して前記複数の柱とログ材とホソ加工した箇所で接合されていることを特徴とする請求項１〜請求項３のいずれかに記載の拡張可能なログハウス。
【請求項５】
前記梁に面する前記ログ材は、接合して前記梁に接合的にホゾ穴で固定されて、ログ材のセトリングに対応して内部の柱はログ材とは連結材とは直接に固定せずに、接合的に立設させて、ログハウス内部にログ材を使用して部屋、又は二階部以上組み立てをログ材と柱部材及び梁部材による連結材に組み立てられた木造組立構造を構成させており、前記木造組立構造の前記複数の柱の長さと間隔は６ｍ以下にしていることを特徴とする請求項４に記載の拡張可能なログハウス。